(57)【要約】【課題】バーナ３で加熱される給湯用の熱交換器４と、熱交換器への通水量を可変する手動操作式の水量調節機構９と、バーナの燃焼量を変化させて熱交換器の加熱能力を段階的に可変する能力切換機構１６と、手動操作式の能力設定手段とを備え、能力設定手段の設定操作に応じて能力切換機構を制御する能力切換型給湯器において、ドレンの発生を防止できるようにする。【解決手段】熱交換器４からの出湯温度が熱交換器４でのドレンの発生を防止するために設定した所定のドレン判定温度を下回る状態になったときに、熱交換器４の加熱能力が出湯温度をドレン判定温度以上にするのに必要な能力に増加変更されるように能力切換機構１６を制御する。【選択図】  図１
2005003224.tif 000002
【特許請求の範囲】
【請求項１】
バーナで加熱される給湯用の熱交換器と、熱交換器への通水量を可変する手動操作式の水量調節機構と、バーナの燃焼量を変化させて熱交換器の加熱能力を段階的に可変する能力切換機構と、手動操作式の能力設定手段とを備え、能力設定手段の設定操作に応じて能力切換機構を制御する能力切換型給湯器において、
熱交換器からの出湯温度が熱交換器でのドレンの発生を防止するために設定した所定のドレン判定温度を下回る状態になったときに、熱交換器の加熱能力が出湯温度をドレン判定温度以上にするのに必要な能力に増加変更されるように能力切換機構を制御するドレン防止手段を備えることを特徴とする能力切換型給湯器。
【請求項２】
熱交換器からの出湯温度が熱交換器での沸騰を防止するために設定した所定の沸騰判定温度を上回る状態になったときに、熱交換器の加熱能力が出湯温度を沸騰判定温度以下にするのに必要な能力に減少変更されるように能力切換機構を制御する沸騰防止手段を備えることを特徴とする請求項１に記載の能力切換型給湯器。
【請求項３】
能力設定手段で設定した熱交換器の加熱能力を表示する表示手段を備えると共に、ドレン防止手段により熱交換器の加熱能力を変更したときに、この能力変更を、能力設定手段による設定能力の表示形態とは異なる形態で表示手段により表示することを特徴とする請求項１に記載の能力切換型給湯器。
【請求項４】
能力設定手段で設定した熱交換器の加熱能力を表示する表示手段を備えると共に、ドレン防止手段と沸騰防止手段とにより熱交換器の加熱能力を変更したときに、この能力変更を、能力設定手段による設定能力の表示形態とは異なる形態で表示手段により表示することを特徴とする請求項２に記載の能力切換型給湯器。
【発明の詳細な説明】
【０００１】
【発明の属する技術分野】
本発明は、バーナで加熱される給湯用の熱交換器と、熱交換器への通水量を可変する手動操作式の水量調節機構と、バーナの燃焼量を変化させて熱交換器の加熱能力を段階的に可変する能力切換機構と、手動操作式の能力設定手段とを備え、能力設定手段の設定操作に応じて能力切換機構を制御する能力切換型給湯器に関する。
【０００２】
【従来の技術】
給湯器には、給湯用の熱交換器を加熱するバーナのガス供給路に電磁比例弁を介設し、熱交換器の下流側の給湯管に設けた温度センサで検出される給湯温度が設定温度になるように、バーナの燃焼量を電磁比例弁で自動制御するものがある。然し、このような自動制御式の給湯器はコストが高くなるため、手動での操作に頼る能力切換型の給湯器に対する需要も多い。
【０００３】
能力切換型の給湯器は、給湯用の熱交換器への通水量を可変する手動操作式の水量調節機構と、熱交換器を加熱するバーナの燃焼量を変化させて熱交換器の加熱能力を段階的に可変する能力切換機構と、手動操作式の能力設定手段とを備え、能力設定手段の設定操作に応じて能力切換機構を制御するように構成されている。そして、水量調節弁による通水量の増減と、能力切換機構による加熱能力の増減とで給湯温度と給湯量とを調節する。
【０００４】
また、従来、能力切換型給湯器として、水量調節機構に、その操作子の各操作位置における設定通水量を大小少なくとも２段に切換自在な水量切換機構を組み込み、能力切換機構の切換操作に連動して水量切換機構を切換作動させることにより、水量調節機構を操作せずに能力切換機構による加熱能力の切換を行ったときの給湯温度の大幅な変化を抑制し得るようにしたものが知られている（例えば、特許文献１参照。）。
【０００５】
【特許文献１】
特開昭５８−６９３４９号公報
【０００６】
【発明が解決しようとする課題】
ところで、給湯器では、熱交換器からの出湯温度が低くなって、熱交換器の周囲においてバーナの燃焼排ガスの温度が低くなると、燃焼排ガス中の水蒸気が熱交換器の表面で結露してドレンが発生する。このようにドレンが発生すると、熱交換器の腐食を生じて耐久性が悪化する。
【０００７】
ここで、上記従来の能力切換型給湯器では、能力切換機構を操作せずに水量調節機構を操作して通水量を増加すると、熱交換器からの出湯温度が低下して、ドレンが発生することがあり、耐久性の向上を図る上で問題になっている。
【０００８】
本発明は、以上の点に鑑み、ドレンの発生を防止できるようにした能力切換型給湯器を提供することをその課題としている。
【０００９】
【課題を解決するための手段】
上記課題を解決するために、本発明は、バーナで加熱される給湯用の熱交換器と、熱交換器への通水量を可変する手動操作式の水量調節機構と、バーナの燃焼量を変化させて熱交換器の加熱能力を段階的に可変する能力切換機構と、手動操作式の能力設定手段とを備え、能力設定手段の設定操作に応じて能力切換機構を制御する能力切換型給湯器において、熱交換器からの出湯温度が熱交換器でのドレンの発生を防止するために設定した所定のドレン判定温度を下回る状態になったときに、熱交換器の加熱能力が出湯温度をドレン判定温度以上にするのに必要な能力に増加変更されるように能力切換機構を制御するドレン防止手段を備えることを特徴とする。
【００１０】
上記の構成によれば、能力設定手段による加熱能力の切換操作を行わずに水量調節機構の操作で通水量を増加することにより、熱交換器からの出湯温度が低下しても、出湯温度がドレン判定温度に低下したところで加熱能力が自動的に増加変更され、出湯温度の低下によるドレンの発生が防止される。
【００１１】
また、加熱能力を大きくした状態で水量調節機構の操作により通水量を過度に減少させると、熱交換器での沸騰を生ずる可能性がある。そのため、熱交換器からの出湯温度が熱交換器での沸騰を防止するために設定した所定の沸騰判定温度を上回る状態になったときに、熱交換器の加熱能力が出湯温度を沸騰判定温度以下にするのに必要な能力に減少変更されるように能力切換機構を制御する沸騰防止手段を設けることが望ましい。即ち、これによれば、通水量の減少で熱交換器からの出湯温度が上昇しても、出湯温度が沸騰判定温度に上昇したところで加熱能力が自動的に減少変更され、熱交換器での沸騰が防止される。
【００１２】
ところで、能力設定手段で設定した熱交換器の加熱能力（設定能力）を表示する表示手段を設けることがある。ここで、上記の如くドレン防止手段により熱交換器の加熱能力を変更したときに、この能力変更を、能力設定手段による設定能力の表示形態とは異なる形態で表示手段により表示すれば、ユーザが能力変更を認識できるようになり、調節範囲の制約を学習するのに役立ち、使い易くなる。尚、上記の如く沸騰防止手段を設ける場合は、沸騰防止手段による能力変更も表示手段により能力設定手段による設定能力の表示形態とは異なる形態で表示することが望ましい。
【００１３】
【発明の実施の形態】
図１を参照して、１は箱形の給湯器本体を示している。給湯器本体１内には、燃焼筐２が設けられており、燃焼筐２内の下部と上部とに夫々バーナ３と給湯用の熱交換器４とを配置し、バーナ３の燃焼熱によって熱交換器４が加熱されるようにしている。燃焼筐２の下端には、給気ファン５が接続されており、給湯器本体１に形成した空気取入れ口１ａからの空気を給気ファン５により燃焼用空気として燃焼筐２内に強制給気し、バーナ３の燃焼排ガスを燃焼筐２の上端の排気口２ａから排出するように構成されている。
【００１４】
熱交換器４には、上流側の給水管６と下流側の給湯管７とが接続されている。また、給湯管７に熱交換器４をバイパスして給水管６を接続するバイパス管８が設けられている。かくして、給湯管７の下流端に接続される図示省略した出湯栓を開いたとき、給水管６からの水が熱交換器４に通水され、熱交換器４で加熱された温水にバイパス管８からの水が混合され、給湯管７を介して出湯栓から出湯される。給水管６には、水量調節機構たる流量調節弁９と、通水量を検出する流量センサ１０とが介設されている。流量調節弁９は、操作摘み９ａに連動する回転カム９ｂにより駆動される弁体９ｃを備えており、操作摘み９ａの手動操作に応じて通水量を可変するように構成されている。また、給湯管７のバイパス管８との合流部下流側には、給湯温度を検出する湯温センサ１１と、過圧逃し弁１２とが設けられている。
【００１５】
バーナ３は、燃焼量の比較的小さな第１バーナブロック３ａと燃焼量の比較的大きな第２バーナブロック３ｂとで構成されており、電磁開閉弁から成る元弁１３とガスガバナ１４とを介設したガス供給路１５の下流端の第１バーナブロック３ａ用の分岐路と第２バーナブロック３ｂ用の分岐路とに夫々電磁開閉弁から成る第１と第２の能力切換弁１６ａ、１６ｂを介設している。そして、第１能力切換弁１６ａと第２能力切換弁１６ｂとで能力切換機構１６を構成し、熱交換器４の加熱能力を、第１能力切換弁１６ａを開弁して第１バーナブロック３ａのみを燃焼作動させたときの小能力と、第２能力切換弁１６ｂを開弁して第２バーナブロック３ｂのみを燃焼作動させたときの中能力と、第１と第２の両能力切換弁１６ａ，１６ｂを開弁して第１と第２の両バーナブロック３ａ，３ｂを燃焼作動させたときの大能力との３段階に可変できるようにしている。尚、バーナ３には、点火プラグ１７と、火炎検出のためのフレームロッド１８とが付設されている。
【００１６】
給湯器本体１の外面の操作パネル１ｂには、図２に示す如く、右側の水量調節部に位置させて上記した流量調節弁９の操作摘み９ａが配置され、左側の温度調節部に位置させて手動操作式の能力設定手段たる高低２つの押しボタン１９Ｈ，１９Ｌが配置され、中間部に運転スイッチ２０が配置されている。また、温度調節部には、加熱能力の３段切換に対応させて発光ダイオードから成る「１」「２」「３」の３個の表示ランプ２１が設けられている。
【００１７】
給湯器本体１にはコントローラ２２が内蔵されており、押しボタン１９Ｈ，１９Ｌの操作に応じてコントローラ２２により前記第１と第２の能力切換弁１６ａ、１６ｂが開閉制御されると共に、表示ランプ２１が点灯制御される。即ち、加熱能力が小能力に設定されているときは、「１」の表示ランプ２１が点灯されると共に、第１能力切換弁１６ａが開弁され、この状態で押しボタン１９Ｈを１回押すと、「１」の表示ランプ２１に加えて「２」の表示ランプ２１が点灯されると共に、第２能力切換弁１６ｂが開弁されて、加熱能力が中能力に設定変更され、この状態から更に押しボタン１９Ｈを押すと、「１」と「２」の表示ランプ２１に加えて「３」の表示ランプ２１が点灯されると共に、第１と第２の両能力切換弁１６ａ，１６ｂが開弁されて、加熱能力が大能力に設定変更される。また、加熱能力が大能力に設定されている状態で押しボタン１９Ｌを１回押すと、上記した中能力の状態に変化し、更に押しボタン１９Ｌを押すと、上記した小能力の状態に変化する。
【００１８】
ここで、加熱能力を設定変更せずに通水量を流量調節弁９で大きく増量すると、熱交換器４からの出湯温度が低くなり過ぎて、ドレンが発生し、また、通水量を減量し過ぎると、熱交換器４での沸騰を生ずる。そこで、本実施形態では、熱交換器４からの出湯温度Ｔｎが熱交換器４でのドレンの発生を防止するために設定した所定のドレン判定温度Ｔｎｄ（例えば、２６℃）を下回る状態になったときに、熱交換器４の加熱能力が出湯温度Ｔｎをドレン判定温度Ｔｎｄ以上にするのに必要な能力に増加変更されるように第１と第２の両能力切換弁１６ａ，１６ｂを開閉制御し、また、熱交換器４からの出湯温度Ｔｎが熱交換器４での沸騰を防止するために設定した所定の沸騰判定温度Ｔｎｆ（例えば、８２℃）を上回る状態になったときに、熱交換器４の加熱能力が出湯温度Ｔｎを沸騰判定温度Ｔｎｆ以下にするのに必要な能力に減少変更されるように第１と第２の両能力切換弁１６ａ，１６ｂを開閉制御している。以下、この点について詳述する。
【００１９】
先ず、ドレン防止と沸騰防止ための制御の基本原理について説明する。本実施形態のようにバイパス管８を設けると、バイパス管８の合流部より下流の給湯温度Ｔｏｕｔは、熱交換器４からの出湯温度Ｔｎより低くなる。ここで、給水管６からの給水温度をＴｉｎ、熱交換器４の通水量とバイパス管８の通水量とのバイパス比（熱交換器４の通水量を１としたときのバイパス管８の通水量の比）をａとすると、次式、
Ｔｏｕｔ＝（Ｔｎ＋ａ・Ｔｉｎ）／（１＋ａ）  …（１）
が成立する。（１）式に出湯温度Ｔｎの値としてドレン判定温度Ｔｎｄを代入したときの給湯温度Ｔｏｕｔの値を給湯温度に関するドレン判定値Ｔｄ（＝（Ｔｎｄ＋ａ・Ｔｉｎ）／（１＋ａ））とし、（１）式に出湯温度Ｔｎの値として沸騰判定温度Ｔｎｆを代入したときの給湯温度Ｔｏｕｔの値を給湯温度に関する沸騰判定値Ｔｆ（＝（Ｔｎｆ＋ａ・Ｔｉｎ）／（１＋ａ））とすると、Ｔｏｕｔ≧Ｔｄになるように加熱能力を増加変更することでドレンの発生を防止でき、一方、Ｔｏｕｔ≦Ｔｆになるように加熱能力を減少変更することで沸騰を防止できる。
【００２０】
また、熱交換器４での水に対する加熱熱量をＱ、熱交換器４とバイパス管８との合計通水量をＷとすると、次式、
Ｑ＝Ｗ・（Ｔｏｕｔ―Ｔｉｎ）  …（２）
が成立する。ここで、コントローラ２２には、加熱能力を小能力にしたときの加熱熱量の値「Ｑ小」と、加熱能力を中能力にしたときの加熱熱量の値「Ｑ中」と、加熱能力を大能力にしたときの加熱熱量の値「Ｑ大」とが記憶されている。従って、現時点での加熱能力に対応する加熱熱量Ｑの値と流量センサ１０による通水量Ｗの検出値と湯温センサ１１による給湯温度Ｔｏｕｔの検出値とを（２）式に代入することにより給水温度Ｔｉｎを求めることができる。
【００２１】
また、（２）式をＴｏｕｔについて整理すると、Ｔｏｕｔ＝Ｔｉｎ＋（Ｑ／Ｗ）になる。従って、次式、
Ｑ≧（Ｔｄ−Ｔｉｎ）・Ｗ  …（３）
が成立するように加熱能力を変更すれば、Ｔｏｕｔ≧Ｔｄになり、次式、
Ｑ≦（Ｔｆ−Ｔｉｎ）・Ｗ  …（４）
が成立するように加熱能力を変更すれば、Ｔｏｕｔ≦Ｔｆになる。即ち、（Ｔｄ−Ｔｉｎ）・Ｗを加熱熱量Ｑに関するドレン判定値Ｑｄ、（Ｔｆ−Ｔｉｎ）・Ｗを加熱熱量Ｑに関する沸騰判定値Ｑｆとして、加熱熱量Ｑがドレン判定値Ｑｄ以上になるように加熱能力を変更することによりドレンの発生を防止でき、加熱熱量Ｑが沸騰判定値Ｑｆ以下になるように加熱能力を変更することにより沸騰を防止できる。
【００２２】
コントローラ２２は、加熱能力が小能力に設定されている場合、図３に示す如く、先ず、流量センサ１０の検出流量に基づいて所定の下限流量（例えば、２リットル／分）以上の通水中であるか否かを判別する（Ｓ５）。通水中でなければ、元弁１３を閉弁して、バーナ３の燃焼を停止する（Ｓ１）。通水中であっても、上記の如く算出する現時点の沸騰判定値Ｑｆが小能力での加熱熱量「Ｑ小」以下  であれば（Ｓ６）、沸騰を防止するために燃焼を停止する。
【００２３】
Ｑ小＜Ｑｆであれば、燃焼停止中であるか否かを判別し（Ｓ７）、燃焼停止中であれば、現時点の沸騰判定値Ｑｆから所定のヒステリシスΔＱを減算した値が小能力での加熱熱量「Ｑ小」以上であるか否かを判別する（Ｓ８）。そして、Ｑ小＞Ｑｆ−ΔＱであれば、燃焼停止を継続し、Ｑ小≦Ｑｆ−ΔＱになったとき、沸騰のおそれなしと判断し、元弁１３と第１能力切換弁１６ａとを開弁して、小能力での加熱運転を行う（Ｓ２）。
【００２４】
小能力での運転中は（Ｓ９）、現時点のドレン判定値Ｑｄを中能力での加熱熱量「Ｑ中」及び小能力での加熱熱量「Ｑ小」と比較し、Ｑ中≦Ｑｄであれば（Ｓ１１）、第１能力切換弁１６ａに加えて第２能力切換弁１６ｂも開弁して、大能力での加熱運転を行い（Ｓ４）、Ｑ小≦Ｑｄ＜Ｑ中であれば（Ｓ１２）、第１能力切換弁１６ａを閉弁すると共に第２能力切換弁１６ｂを開弁して、中能力での加熱運転を行う（Ｓ３）。これによりドレンの発生が防止される。
【００２５】
また、燃焼停止時及び小能力運転時は、加熱能力が小能力に設定されていることを表示するために、「１」の表示ランプ２１を点灯するが（Ｓ１ａ、Ｓ２ａ）、中能力運転時は、「１」の表示ランプ２１を点灯すると共に、「２」の表示ランプ２１を点灯時間よりも消灯時間を長くした状態で点滅させ（Ｓ３ａ）、更に、大能力運転時は、「２」の表示ランプ２１に加えて「３」の表示ランプ２１も上記と同様に点滅させる（Ｓ４ａ）。これにより、加熱能力がドレン防止のために小能力から中能力、大能力に変更されたことをユーザに知らせることができる。
【００２６】
中能力での運転中は（Ｓ１０）、現時点のドレン判定値ＱｄにヒステリシスΔＱを加算した値を小能力での加熱熱量「Ｑ小」と比較し  （Ｓ１３）、Ｑ小≧Ｑｄ＋ΔＱであれば、加熱能力を小能力に戻す。Ｑ小＜Ｑｄ＋ΔＱであれば、ドレン判定値Ｑｄと中能力での加熱熱量「Ｑ中」とを比較し（Ｓ１４）、Ｑ中＞Ｑｄであれば中能力運転を継続し、Ｑ中≦Ｑｄになったときは、加熱能力を大能力に変更する。
【００２７】
大能力での運転中は、現時点のドレン判定値ＱｄにヒステリシスΔＱを加算した値を小能力での加熱熱量「Ｑ小」及び中能力での加熱熱量「Ｑ中」と比較し、Ｑ小≧Ｑｄ＋ΔＱであれば（Ｓ１５）、加熱能力を小能力に戻し、Ｑ小＜Ｑｄ＋ΔＱ≦Ｑ中であれば（Ｓ１６）、加熱能力を中能力に戻す。
【００２８】
加熱能力が中能力に設定されている場合には、図４に示す如く、中能力での運転時  （Ｓ１０）、現時点の沸騰判定値Ｑｆを中能力での加熱熱量「Ｑ中」と比較し（Ｓ１８）、Ｑ中≧Ｑｆであれば、沸騰防止のために、加熱能力を小能力に切換える。Ｑ中＜Ｑｆであれば、現時点のドレン判定値Ｑｄが中能力での加熱熱量「Ｑ中」以上であるか否かを判別する（Ｓ１９）。そして、Ｑ中＞Ｑｄであれば中能力での運転を継続するが、Ｑ中≦Ｑｄになったときは、ドレン防止のために、加熱能力を大能力に変更する。
【００２９】
また、小能力での運転中は  （Ｓ９）、現時点の沸騰判定値ＱｆからヒステリシスΔＱを減算した値と中能力での加熱熱量「Ｑ中」とを比較し（Ｓ１７）、Ｑ中＞Ｑｆ―ΔＱであれば、小能力運転を継続して沸騰を防止し、Ｑ中≦Ｑｆ―ΔＱになったとき、加熱能力を中能力に戻す。
【００３０】
大能力での運転中は、現時点でのドレン判定値ＱｄにヒステリシスΔＱを加算した値が中能力での加熱熱量「Ｑ中」以下であるか否かを判別する（Ｓ２０）。そして、Ｑ中＜Ｑｄ＋ΔＱである間は大能力での運転を継続し、Ｑ中≧Ｑｄ＋ΔＱになったとき、加熱能力を中能力に戻す。
【００３１】
また、燃焼停止時及び中能力運転時は、加熱能力が中能力に設定されていることを表示するために、「１」と「２」の両表示ランプ２１，２１を点灯するが（Ｓ１ｂ、Ｓ３ｂ）、小能力運転時は、沸騰防止のために小能力に変更されたことをユーザに知らせるため、「２」の表示ランプ２１を消灯時間より点灯時間を長くした状態で点滅させる（Ｓ２ｂ）。また、大能力運転時は、ドレン防止のために大能力に変更されたことをユーザに知らせるため、「１」と「２」の両表示ランプ２１，２１を点灯させた状態で、「３」の表示ランプ２１を点灯時間より消灯時間を長くした状態で点滅させる（Ｓ４ｂ）。
【００３２】
加熱能力が大能力に設定されている場合には、図５に示す如く、大能力での運転時、現時点の沸騰判定値Ｑｆを中能力での加熱熱量「Ｑ中」及び大能力での加熱熱量「Ｑ大」と比較し、沸騰防止のために、Ｑ中≧Ｑｆであれば（Ｓ２５）、加熱能力を小能力に変更し、Ｑ中＜Ｑｆ≦Ｑ大であれば（Ｓ２６）、加熱能力を中能力に変更する。
【００３３】
また、小能力での運転中は（Ｓ９）、現時点の沸騰判定値ＱｆからヒステリシスΔＱを減算した値を中能力での加熱熱量「Ｑ中」及び大能力での加熱熱量「Ｑ大」と比較し、Ｑ大≦Ｑｆ−ΔＱであれば（Ｓ２１）、加熱能力を大能力に戻し、Ｑ中≦Ｑｆ−ΔＱ＜Ｑ大であれば（Ｓ２２）、加熱能力を中能力に変更し、Ｑ中＞Ｑｆ−ΔＱであれば、小能力での運転を継続する。
中能力での運転時は（Ｓ１０）、現時点の沸騰判定値Ｑｆを中能力での加熱熱量「Ｑ中」と比較し（Ｓ２３）、Ｑ中≧Ｑｆであれば、加熱能力を小能力に変更する。Ｑ中＜Ｑｆであれば、現時点の沸騰判定値ＱｆからヒステリシスΔＱを減算した値を大能力での加熱熱量「Ｑ大」と比較し（Ｓ２４）、Ｑ大≦Ｑｆ−ΔＱであれば、加熱能力を大能力に戻し、Ｑ大＞Ｑｆ−ΔＱであれば、中能力での運転を継続する。
【００３４】
また、燃焼停止時及び大能力運転時は、加熱能力が大能力に設定されていることを表示するために、「１」「２」「３」の全ての表示ランプ２１，２１，２１を点灯するが（Ｓ１ｃ、Ｓ４ｃ）、小能力運転時は、沸騰防止のために小能力に変更されたことをユーザに知らせるため、「２」と「３」の表示ランプ２１，２１を消灯時間より点灯時間を長くした状態で点滅させる（Ｓ２ｃ）。また、中能力運転時は、沸騰防止のために中能力に変更されたことをユーザに知らせるため、「１」と「２」の両表示ランプ２１，２１を点灯させた状態で、「３」の表示ランプ２１を消灯時間より点灯時間を長くした状態で点滅させる  （Ｓ３ｃ）。
【００３５】
尚、加熱能力の変更条件が成立したとき（Ｓ８，Ｓ１１〜Ｓ２６のステップで「ＹＥＳ」と判定されたとき）に、直ちに加熱能力を変更すると制御の安定性が損なわれるため、変更条件が所定時間継続して成立しているときにのみ加熱能力を変更することが望ましい。
【００３６】
また、上記実施形態では、加熱熱量に関するドレン判定値Ｑｄと沸騰判定値Ｑｆを算出し、この判定値Ｑｄ，Ｑｆと大、中、小の各加熱能力での加熱熱量「Ｑ大」「Ｑ中」「Ｑ小」との比較で加熱能力を変更すべきか否かを判断しているが、これに限るものではない。即ち、上記した（３）式と（４）式を通水量Ｗについて整理すると、次式、
Ｗ≦Ｑ／（Ｔｄ−Ｔｉｎ）  …（３´）
Ｗ≧Ｑ／（Ｔｆ−Ｔｉｎ）  …（４´）
が得られ、（３´）式が成立するとＴｏｕｔ≧Ｔｄになり、（４´）式が成立するとＴｏｕｔ≦Ｔｆになる。従って、大、中、小の各加熱能力での通水量に関するドレン判定値（＝Ｑ／（Ｔｄ−Ｔｉｎ））と沸騰判定値（＝Ｑ／（Ｔｆ−Ｔｉｎ））とを算出し、この判定値と通水量Ｗとの比較で加熱能力を変更すべきか否かを判断するようにしても良い。
【図面の簡単な説明】
【図１】本発明給湯器の実施形態を示す構成図。
【図２】実施形態の操作パネル部分の正面図。
【図３】設定能力が小能力であるときの制御フロー図。
【図４】設定能力が中能力であるときの制御フロー図。
【図５】設定能力が大能力であるときの制御フロー図。
【符号の説明】
３…バーナ、４…熱交換器、９…流量調節弁（水量調節機構）、１６…能力切換機構、１６ａ…第１能力切換弁、１６ｂ…第２能力切換弁、１９Ｈ，１９Ｌ…押ボタン（能力設定手段）、２１…表示ランプ（表示手段）、２２…コントローラ
【図１】
2005003224.tif 000003
【図２】
2005003224.tif 000004
【図３】
2005003224.tif 000005
【図４】
2005003224.tif 000006
【図５】
2005003224.tif 000007